(57)【要約】【課題】映像フォーマットに関する知識が乏しい使用者であっても、最良の映像フォーマットを外部の映像出力装置に容易に設定することができる表示装置を提供する。【解決手段】映像出力装置３との間で相互通信が可能な表示装置１に、表示が可能な映像信号のフォーマットを示す複数のフォーマット情報を記憶する記憶部３４と、映像出力装置３側で出力が可能な映像信号のフォーマットを示す複数のフォーマット情報を該映像出力装置３から取得するＨＤＭＩ通信部３３と、各装置の映像フォーマット情報を比較して、最大解像度のフォーマット情報を特定する特定手段と、フォーマットの設定変更の要否を受け付ける受付手段と、設定変更を受け付けた場合、映像出力装置に前記最大解像度の映像フォーマットを設定する手段とを備える。【選択図】図１
2010014979.tif 000002
【特許請求の範囲】
【請求項１】
複数のフォーマットで映像信号を出力する映像出力装置との間で映像信号のフォーマット情報を送受信することにより、特定のフォーマットを映像出力装置に設定し、該フォーマットで映像出力装置から出力された映像信号を受信し、映像を表示する表示装置において、
表示が可能な映像信号のフォーマットを示す複数のフォーマット情報を記憶する記憶手段と、
映像出力装置側で出力が可能な映像信号のフォーマットを示す複数のフォーマット情報を該映像出力装置から取得する取得手段と、
該取得手段が取得した複数のフォーマット情報及び前記記憶手段が記憶している複数のフォーマット情報を比較して、出力及び表示が可能な一のフォーマット情報を特定する特定手段と、
フォーマットの設定変更の要否を受け付ける受付手段と、
該受付手段が設定変更を受け付けた場合、映像出力装置から出力される映像信号のフォーマットを、前記特定手段が特定した一のフォーマット情報に基づいて設定する設定情報を該映像出力装置へ送信する設定情報送信手段と
を備えることを特徴とする表示装置。
【請求項２】
前記フォーマット情報は、解像度を示す情報を含み、
前記特定手段は、
出力及び表示が可能な最大解像度のフォーマット情報を特定するようにしてある
ことを特徴とする請求項１に記載の表示装置。
【請求項３】
映像出力装置側で設定されているフォーマットを示す設定フォーマット情報を取得する設定フォーマット情報取得手段と、
該設定フォーマット情報取得手段が取得した設定フォーマット情報及び前記特定手段が特定したフォーマット情報を比較する手段と
を備え、
前記受付手段は、
設定フォーマット情報の解像度が前記特定手段にて特定したフォーマット情報の解像度に比べて低い場合、設定変更の要否を受け付けるようにしてある
ことを特徴とする請求項２に記載の表示装置。
【請求項４】
映像信号に基づいて、映像の一部に含まれる黒帯部分を検出する検出手段と、
該検出手段が黒帯部分を検出した場合、該黒帯部分の面積及び所定値を比較する手段と、
前記黒帯部分の面積が所定値以上であると判定した場合、映像出力装置から出力される映像信号に係るアスペクト比の設定変更の要否を受け付けるアスペクト比の設定変更受付手段と、
該アスペクト比の設定変更受付手段がアスペクト比の設定変更を受け付けた場合、映像出力装置から出力される映像信号のアスペクト比を変更させる設定情報を該映像出力装置へ送信する手段と
を備えることを特徴とする請求項１から請求項３までのいずれか一項に記載の表示装置。
【請求項５】
前記記憶手段は、
再生が可能な音声信号のフォーマットを示す複数のフォーマット情報を記憶しており、
前記取得手段は、
映像出力装置側で出力が可能な音声信号のフォーマットを示す複数のフォーマット情報を該映像出力装置から取得する手段を備え、
更に、前記取得手段が取得した複数のフォーマット情報及び前記記憶手段が記憶している複数のフォーマット情報を比較して、出力及び再生が可能な音声信号の一のフォーマット情報を特定する音声フォーマット特定手段と、
映像出力装置から出力される音声信号のフォーマットを、前記音声フォーマット特定手段が特定した一のフォーマット情報に基づいて設定する設定情報を該映像出力装置へ送信する手段と
を備えることを特徴とする請求項１から請求項４までのいずれか一項に記載の表示装置。
【請求項６】
請求項１から請求項５までのいずれか一項に記載の表示装置と、
映像信号を出力する映像出力装置と
を備え、
前記表示装置及び映像出力装置は、ＨＤＭＩケーブルを通じて映像信号、フォーマット情報及び設定情報を送受信するようにしてある
ことを特徴とする映像表示システム。
【請求項７】
映像信号に基づいて映像を表示する表示装置との間で映像信号のフォーマット情報を送受信することにより、特定のフォーマットを設定し、該フォーマットで映像信号を表示装置へ出力する映像出力装置において、
出力が可能な映像信号のフォーマットを示す複数のフォーマット情報を記憶する記憶手段と、
表示装置側で表示が可能な映像信号のフォーマットを示す複数のフォーマット情報を該表示装置から取得する取得手段と、
該取得手段が取得した複数のフォーマット情報及び前記記憶手段が記憶している複数のフォーマット情報を比較して、出力及び表示が可能な一のフォーマット情報を特定する特定手段と、
フォーマットの設定変更の要否を受け付ける受付手段と、
該受付手段が設定変更を受け付けた場合、出力する映像信号のフォーマットを、前記特定手段が特定した一のフォーマット情報に基づいて設定する手段と
を備えることを特徴とする映像出力装置。
【請求項８】
映像信号に基づいて映像を表示する表示装置と、
請求項７に記載の映像出力装置と
を備え、
前記表示装置及び映像出力装置は、ＨＤＭＩケーブルを通じて映像信号及びフォーマット情報を送受信するようにしてある
ことを特徴とする映像表示システム。
【発明の詳細な説明】
【技術分野】
【０００１】
本発明は、表示装置、映像出力装置及び映像表示システムに関し、特に各装置間で映像信号のフォーマット情報を送受信することにより、各装置で対応可能なフォーマットを映像出力装置に設定するように構成された表示装置、映像出力装置、及び映像表示システムに関する。
【背景技術】
【０００２】
ＨＤＭＩ（High-Definition Multimedia Interface）端子を備えた表示装置が実用化されている。ＨＤＭＩ端子は、ＨＤＭＩ規格に準拠したインタフェースであり、ＨＤＭＩ規格では１本のケーブルで映像信号、音声信号、各種制御信号を伝送することができる。表示装置のＨＤＭＩ端子には、ＤＶＤレコーダ、セットトップボックス等の映像出力装置が接続される。表示装置は、映像出力装置から出力された映像信号及び音声信号を受信し、映像の表示及び音声の再生を行う。
【０００３】
一方、デジタル化の進展に伴い、複数の映像フォーマット、音声フォーマットに対応した表示装置、映像出力装置が実用化されている。映像フォーマットとしては、例えば、４８０ｉ（interlace）、４８０ｐ（progressive）、１０８０ｉ、７２０ｐ、１０８０ｐ等があり、音声フォーマットとしては、ＡＡＣ、ＰＣＭ、ＡＣ３等が挙げられる。
ところが、対応可能な映像及び音声フォーマットは、機器毎に異なるため、表示装置に映像出力装置を接続する場合、各機器で対応可能な映像フォーマット及び音声フォーマットを比較し、各機器に共通の映像及び音声フォーマットを映像出力装置に手動で設定する設定作業が必要である。一般に、映像出力装置側における映像及び音声フォーマットの設定方法は機種、メーカー毎に異なるため、表示装置に接続される映像出力装置毎に、複雑な操作メニューを操作する必要があった。
また、映像出力装置側の解像度、アスペクト比等の各種設定が不適切な場合、画面の表示が適正に行われない場合があり、使用者によっては表示装置側の不具合と認識してしまい、原因究明や対策が困難となることがある。これらの問題を解決すべく、各種フォーマットの設定作業を容易にする種々の方法が提案されている。
【０００４】
例えば、特許文献１に係る表示装置は、ＨＤＭＩのＣＥＣ（Consumer Electronics Control）コマンドを使用して映像出力装置からＥＤＩＤ（Extended Display Identification Data）情報を取得し、取得したＥＤＩＤ情報と、表示装置のＥＤＩＤ情報とを比較し、表示装置から表示可能な映像信号の解像度一覧を表示するように構成されている。使用者によって所望の解像度が選択された場合、表示装置は、選択された解像度を、ＣＥＣコマンドを使用して映像出力装置へ送信し、映像出力装置の設定内容を変更する。
このように構成された表示装置においては、機種が異なる映像出力装置が接続された場合であっても、各映像出力装置の解像度に関する設定を、表示装置側で統一的に取り扱うことができる。
【０００５】
また、表示装置側で選択された解像度を記憶し、表示装置で表示可能な解像度が前記解像度一つだけであると外部の映像出力装置が認識するように構成した表示装置が提案されている（例えば、特許文献２）。
このように構成された表示装置においては、表示装置側で出力可能な解像度を一覧表示し、設定を促すことが可能な映像出力装置を表示装置に接続しても、映像出力装置は表示装置側で表示可能な解像度は一つだけであると認識するため、解像度の設定を促すことなく、前記解像度の映像信号を出力するようになる。従って、表示装置側で解像度を一回設定するだけで、以後、映像出力装置側での解像度の設定が不要になる。
【０００６】
更に、表示装置で対応可能な最適な解像度、アスペクト比等の表示条件を示す情報、例えばＥＤＩＤ情報を予め該表示装置から取得し、取得した該情報に基づいて、表示装置へ出力する映像信号の解像度、アスペクト比等を設定することができる映像出力装置が提案されている（例えば、特許文献３）。
【０００７】
更にまた、アスペクト比テストパターンを出力し、アスペクト比の設定を容易にする映像出力装置が提案されている（例えば、特許文献４）。特許文献４に係る映像出力装置にあっては、出力映像のアスペクト比を容易に設定することが可能になる。
【特許文献１】特開２００８‐６７０２４号公報
【特許文献２】特開２００７−１５８９０３号公報
【特許文献３】特開２００５−１０９７０３号公報
【特許文献４】特開２００７−１２４２７５号公報
【発明の開示】
【発明が解決しようとする課題】
【０００８】
しかしながら、特許文献１及び２に係る表示装置においては、一覧表示された複数の映像フォーマットから、一の映像フォーマットをメニュー画面から選択する必要があり、映像信号の解像度に関する知識の乏しい使用者にとっては、いずれの映像信号が最適であるかを判断できない場合があった。例えば、「１０８０ｉ」、「１０８０ｐ」等の映像フォーマットが表示された場合、インターレース、プログレッシブに関する知識が乏しい使用者にとって、いずれが最適な解像度であるかを判断することができないという問題がある。
【０００９】
特許文献３に係る映像出力装置においては、表示装置から、該表示装置が記憶する最適な解像度、アスペクト比等の表示条件を取得し、設定するように構成してあるが、必ずしも各装置の組み合わせを考慮した最適な解像度が設定されないという問題があった。これは次のような理由による。ＥＤＩＤには推奨解像度を記載する部分があるが、表示装置の推奨解像度はあくまで表示装置のメーカーが独自に設定するものであり、必ずしもその表示装置が表示できる最高解像度が記載されているわけではないということによる。例えば、１０８０ｉの映像信号に対応した表示装置であっても、該表示装置の出荷当時に７２０ｐが広く普及していれば、解像度７２０ｐを推奨解像度として記憶させることもある。
【００１０】
特許文献４にあっては、テストパターンを確認しながら、設定自体は使用者が行う必要があり、アスペクト比の知識が乏しい使用者にとって、アスペクト比の設定自体に困難を覚えるという問題があった。
【００１１】
本発明は斯かる事情に鑑みてなされたものであり、映像出力装置及び表示装置夫々に対応した映像フォーマットを一覧表示することなく、表示装置又は映像出力装置側で各装置に最適な一の映像フォーマットを判断し、設定変更の要否をのみを受け付けるように構成することにより、映像フォーマットに関する知識が乏しい使用者であっても設定変更の要否を選択するのみで最適な映像フォーマットを映像出力装置に設定することができる表示装置、映像出力装置及び映像表示システムを提供することを目的とする。
【課題を解決するための手段】
【００１２】
本発明に係る表示装置は、複数のフォーマットで映像信号を出力する映像出力装置との間で映像信号のフォーマット情報を送受信することにより、特定のフォーマットを映像出力装置に設定し、該フォーマットで映像出力装置から出力された映像信号を受信し、映像を表示する表示装置において、表示が可能な映像信号のフォーマットを示す複数のフォーマット情報を記憶する記憶手段と、映像出力装置側で出力が可能な映像信号のフォーマットを示す複数のフォーマット情報を該映像出力装置から取得する取得手段と、該取得手段が取得した複数のフォーマット情報及び前記記憶手段が記憶している複数のフォーマット情報を比較して、出力及び表示が可能な一のフォーマット情報を特定する特定手段と、フォーマットの設定変更の要否を受け付ける受付手段と、該受付手段が設定変更を受け付けた場合、映像出力装置から出力される映像信号のフォーマットを、前記特定手段が特定した一のフォーマット情報に基づいて設定する設定情報を該映像出力装置へ送信する設定情報送信手段とを備えることを特徴とする。
【００１３】
本発明に係る表示装置は、前記フォーマット情報は、解像度を示す情報を含み、前記特定手段は、出力及び表示が可能な最大解像度のフォーマット情報を特定するようにしてあることを特徴とする。
【００１４】
本発明に係る表示装置は、映像出力装置側で設定されているフォーマットを示す設定フォーマット情報を取得する設定フォーマット情報取得手段と、該設定フォーマット情報取得手段が取得した設定フォーマット情報及び前記特定手段が特定したフォーマット情報を比較する手段とを備え、前記受付手段は、設定フォーマット情報の解像度が前記特定手段にて特定したフォーマット情報の解像度に比べて低い場合、設定変更の要否を受け付けるようにしてあることを特徴とする。
【００１５】
本発明に係る表示装置は、映像信号に基づいて、映像の一部に含まれる黒帯部分を検出する検出手段と、該検出手段が黒帯部分を検出した場合、該黒帯部分の面積及び所定値を比較する手段と、前記黒帯部分の面積が所定値以上であると判定した場合、映像出力装置から出力される映像信号に係るアスペクト比の設定変更の要否を受け付けるアスペクト比の設定変更受付手段と、該アスペクト比の設定変更受付手段がアスペクト比の設定変更を受け付けた場合、映像出力装置から出力される映像信号のアスペクト比を変更させる設定情報を該映像出力装置へ送信する手段とを備えることを特徴とする。
【００１６】
本発明に係る表示装置は、前記記憶手段は、再生が可能な音声信号のフォーマットを示す複数のフォーマット情報を記憶しており、前記取得手段は、映像出力装置側で出力が可能な音声信号のフォーマットを示す複数のフォーマット情報を該映像出力装置から取得する手段を備え、更に、前記取得手段が取得した複数のフォーマット情報及び前記記憶手段が記憶している複数のフォーマット情報を比較して、出力及び再生が可能な音声信号の一のフォーマット情報を特定する音声フォーマット特定手段と、映像出力装置から出力される音声信号のフォーマットを、前記音声フォーマット特定手段が特定した一のフォーマット情報に基づいて設定する設定情報を該映像出力装置へ送信する手段とを備えることを特徴とする。
【００１７】
本発明に係る映像表示システムは、上述のいずれか一つの表示装置と、映像信号を出力する映像出力装置とを備え、前記表示装置及び映像出力装置は、ＨＤＭＩケーブルを通じて映像信号、フォーマット情報及び設定情報を送受信するようにしてあることを特徴とする。
【００１８】
本発明に係る映像出力装置は、映像信号に基づいて映像を表示する表示装置との間で映像信号のフォーマット情報を送受信することにより、特定のフォーマットを設定し、該フォーマットで映像信号を表示装置へ出力する映像出力装置において、出力が可能な映像信号のフォーマットを示す複数のフォーマット情報を記憶する記憶手段と、表示装置側で表示が可能な映像信号のフォーマットを示す複数のフォーマット情報を該表示装置から取得する取得手段と、該取得手段が取得した複数のフォーマット情報及び前記記憶手段が記憶している複数のフォーマット情報を比較して、出力及び表示が可能な一のフォーマット情報を特定する特定手段と、フォーマットの設定変更の要否を受け付ける受付手段と、該受付手段が設定変更を受け付けた場合、出力する映像信号のフォーマットを、前記特定手段が特定した一のフォーマット情報に基づいて設定する手段とを備えることを特徴とする。
【００１９】
本発明に係る映像表示システムは、映像信号に基づいて映像を表示する表示装置と、上述の映像出力装置とを備え、前記表示装置及び映像出力装置は、ＨＤＭＩケーブルを通じて映像信号及びフォーマット情報を送受信するようにしてあることを特徴とする。
【００２０】
本発明にあっては、表示装置は、複数のフォーマットに対応しており、各フォーマットの映像信号に基づいて映像を表示することができる。記憶手段は、表示が可能な各フォーマットを示したフォーマット情報を記憶する。
一方、映像出力装置は、複数のフォーマットに対応しており、各フォーマットで映像信号を出力することができる。表示装置の取得手段は、映像出力装置側で出力が可能な各フォーマットを示すフォーマット情報を映像出力装置から取得する。表示装置及び映像出力装置は、例えばＨＤＭＩケーブルを介して接続されており、表示装置は、該ＨＤＭＩケーブルを通じてフォーマット情報を取得する。
そして、特定手段は、表示装置及び映像出力装置夫々に対応した一のフォーマットを特定する。一のフォーマットは、所定の観点に基づいて決定される。例えば、解像度が最大のフォーマットが特定される。
次いで、受付手段は、表示装置及び映像出力装置に対応したフォーマットの一覧を表示せず、フォーマットの設定変更の要否を受け付ける。従って、使用者は、フォーマット一覧から一のフォーマットを選択する必要が無くなり、フォーマットに関する知識が不要になる。
受付手段が設定変更を受け付けた場合、映像出力装置から出力されるべき映像信号のフォーマットを、特定手段が特定した一のフォーマット情報に基づいて設定するための設定情報を該映像出力装置へ送信し、映像出力装置に当該フォーマットを設定する。
なお、映像のフォーマットは、解像度のみに限定されるものでは無く、アスペクト比、符号化方法、その他各種規格等も意味する広義のものである。
【００２１】
本発明にあっては、表示装置及び映像出力装置に対応するフォーマットであって、解像度が最大のフォーマットが特定され、映像出力装置に設定される。
【００２２】
本発明にあっては、表示装置は、映像出力装置に設定されているフォーマットが最適であるか否かを調べる。具体的には、表示装置の設定フォーマット情報取得手段は、現在、映像出力装置に設定されているフォーマットを示す設定フォーマット情報を取得する。そして、表示装置は、設定フォーマット情報及び前記特定手段が特定したフォーマット情報を比較することによって、現在、映像出力装置に設定されるフォーマットの解像度が最適であるか否かを判定する。
そして、映像出力装置に設定されているフォーマットの解像度が最大解像度でない場合、受付手段は、設定変更の要否を受け付け、受け付け結果に応じて、最大解像度のフォーマットに設定変更を行う。
【００２３】
本発明にあっては、表示装置は、映像信号に基づいて、映像の一部に含まれる黒帯部分を検出し、検出された黒帯部分の面積及び所定値を比較する。黒帯部分の面積が所定値以上である場合、映像出力装置から出力される映像信号のアスペクト比が適切でない状態にある。そこで、アスペクト比の設定変更受付手段は、アスペクト比の設定変更の要否を受け付ける。
アスペクト比の設定変更受付手段がアスペクト比の設定変更を受け付けた場合、映像出力装置から出力される映像信号のアスペクト比を変更させる設定情報を映像出力装置へ送信し、当該アスペクト比を映像出力装置に設定する。
【００２４】
本発明にあっては、音声信号についても映像信号と同様の処理を行う。つまり、記憶手段は、再生が可能なフォーマットを示す複数のフォーマット情報を記憶し、取得手段は、映像出力装置側で出力が可能な音声信号のフォーマットを示す複数のフォーマット情報を映像出力装置から取得する。
そして、特定手段は、表示装置及び映像出力装置夫々に対応した一のフォーマットを特定する。従って、使用者は、音声のフォーマット一覧から一のフォーマットを選択する必要が無くなり、音声のフォーマットに関する知識も不要になる。次いで、映像出力装置から出力されるべき音声信号のフォーマットを、特定手段が特定した一のフォーマット情報に基づいて設定するための設定情報を該映像出力装置へ送信し、映像出力装置に当該フォーマットを設定する。
【００２５】
本発明にあっては、上述の表示装置側で行う処理を映像出力装置側で実行する。つまり、映像出力装置は、複数のフォーマットに対応しており、各フォーマットの映像信号を出力することができる。映像出力装置の記憶手段は、複数のフォーマット情報を記憶する。
一方、表示装置は、複数のフォーマットに対応しており、各フォーマットの映像信号に基づいて映像を表示することができる。映像出力装置の取得手段は、表示装置で表示が可能な各フォーマットを示す複数のフォーマット情報を表示装置から取得する。
そして、特定手段は、表示装置及び映像出力装置夫々に対応した一のフォーマットを特定する。
次いで、受付手段は、表示装置及び映像出力装置に対応したフォーマットの一覧を表示せず、フォーマットの設定変更の要否を受け付ける。従って、使用者は、フォーマット一覧から一のフォーマットを選択する必要が無くなり、フォーマットに関する知識が不要になる。
受付手段が設定変更を受け付けた場合、映像出力装置から出力されるべき映像信号のフォーマットを、特定手段が特定した一のフォーマット情報に基づいて設定する。
【発明の効果】
【００２６】
本発明によれば、映像信号のフォーマットに関する知識が乏しい使用者であっても設定変更の要否を選択するのみで最適なフォーマットを映像出力装置に設定することができる。
【発明を実施するための最良の形態】
【００２７】
以下、本発明をその実施の形態を示す図面に基づいて詳述する。
図１は、本発明の実施の形態に係る映像表示システムの構成を示すブロック図である。本発明に係る映像表示システムは、ＨＤＭＩケーブル４を介して接続された表示装置１及び映像出力装置３を備えてなり、映像フォーマットの知識が無い使用者でも、各装置に対応した最良の映像フォーマットを簡単に設定することができるよう構成されている。
【００２８】
表示装置１は、表示装置１を構成する各種構成部の動作を制御する制御部１０、ＨＤＭＩ通信部１１、信号分離部１２、黒帯部分検出部１３、映像信号処理部１４、ＯＳＤ描画部１５、表示部１６、音声信号処理部１７、スピーカ１８、記憶部１９、及び操作部２０を備える。
【００２９】
制御部１０は、図示しないＣＰＵを備えたマイクロコンピュータであり、主にＨＤＭＩ通信部１１、黒帯部分検出部１３、ＯＳＤ描画部１５の動作を制御することによって、後述の映像フォーマットの設定処理を行う。
【００３０】
記憶部１９は、不揮発性のメモリであり、表示装置１側で表示が可能な映像信号のフォーマットを示す複数の映像フォーマット情報を記憶している。制御部１０は、記憶部１９が記憶している映像フォーマット情報を読み出すことによって、表示装置１側で対応可能な映像フォーマットの種類を特定することができる。映像フォーマット情報は、例えばＥＤＩＤ情報であり、４８０ｉ、４８０ｐ、１０８０ｉ、７２０ｐ、１０８０ｐ等のいずれかの映像フォーマットを示している。
【００３１】
ＨＤＭＩ通信部１１は、ＨＤＭＩケーブル４が接続されるＨＤＭＩ端子を備え、映像出力装置３との間で映像信号、音声信号、及び映像フォーマットに関する各種情報を送受信することが可能なインタフェースである。ＨＤＭＩ規格のインタフェースは、複数のチャンネルを有しており、映像信号及び音声信号はＴＭＤＳ（Transition Minimized Differential Signaling）チャンネルを使用して送受信される。ＴＭＤＳチャンネルで送受信される映像信号はＲＧＢ信号、コンポーネント映像信号等である。ＨＤＭＩ通信部１１で受信された映像信号及び音声信号は信号分離部１２に与えられる。また、ＨＤＭＩ規格ではＣＥＣチャンネルを使用して映像信号のフォーマットに関する情報を送受信することが可能である。該情報の送受信は制御部１０によって制御される。
【００３２】
信号分離部１２は、ＨＤＭＩ通信部１１にて受信した映像信号及び音声信号を分離し、映像信号を黒帯部分検出部１３に与え、音声信号を音声信号処理部１７に与える。
【００３３】
黒帯部分検出部１３は、映像信号に係る映像の一部に含まれる黒帯部分、即ちレターボックス領域を検出し、検出された黒帯部分の面積に係る情報を制御部１０に与える。具体的には、映像信号の輝度レベルが所定値以下、例えば０である部分であって、映像信号に係る映像、１フレーム画の映像開始位置から連続している部分と、フレーム画の途中から映像終了位置まで連続している部分を黒帯部分として検出する。
また、黒帯部分検出部１３は、信号分離部１２で分離された映像信号を映像信号処理部１４に与える。
なお、黒帯部分検出部１３を映像信号処理部１４の前段に設けることによって、黒帯部分をより正確に検出することが可能になる。映像信号処理部１４の後段に設けた場合、映像処理によって輪郭が弱められ、映像領域と黒帯部分との境界もぼやけ、その結果、黒帯部分を正確に検出することができなくなる虞がある。
また、黒帯部分の検出方法は、上述の方法に限定されるものでは無く、黒帯部分の検出が可能であれば他の方法を採用しても良い。
【００３４】
映像信号処理部１４は、与えられた映像信号を、表示部１６で表示可能な映像信号に変換し、また必要に応じて所定の各種エフェクト処理を実行し、ＯＳＤ描画部１５に与える。
【００３５】
ＯＳＤ描画部１５は、制御部１０の制御に応じて特定の画像、例えば映像信号のフォーマット設定変更を受け付ける画像、設定変更を案内する案内画像等をＯＳＤ表示すべく、映像信号に該画像の映像信号を重畳させ、重畳処理された映像信号を表示部１６に与える。詳細には、ＯＳＤ描画部１５は、案内画像等を生成する図示しないＯＳＤ画像生成部と、映像信号処理部１４から与えられた映像信号に、該ＯＳＤ画像生成部が生成した画像を合成するＯＳＤ合成部とから構成されている。
【００３６】
表示部１６は、例えば前側にアスペクト比１６対９の表示面を有し略直方体をなす液晶表示パネルである。液晶パネルの後側には、液晶表示パネルを後側から照明する直下型方式のバックライト部が配され、バックライト部及び映像表示パネル間に光学シートが介装されている。表示部１６及び映像信号処理部１４は、複数の映像フォーマット、例えば４８０ｉ、４８０ｐ、１０８０ｉ、７２０ｐ、１０８０ｐの映像信号に対応しており、表示部１６は各映像信号に基づいて映像を表示することができる。
【００３７】
音声信号処理部１７は、信号分離部１２で分離された音声信号の増幅等の信号処理を行い、スピーカ１８に与える。スピーカ１８は、与えられた音声信号に基づいて音声を再生する。
【００３８】
操作部２０は、例えば、遠隔操作信号を受信する受光部、及び遠隔操作装置を備える。操作部２０は、チャンネル、音量、映像フォーマットの設定等、各種操作を受け付け、制御部１０は、操作部２０の操作内容に応じて各種構成部の動作を制御する。
【００３９】
なお、ＨＤＭＩ通信部１１を介して受信した映像信号及び音声信号を表示及び再生する構成のみを説明したが、表示装置１は、放送信号を受信する図示しないチューナ、ＤＶＩ端子、Ｄ端子、ＲＣＡ端子等の他の外部入力部等も備えており、映像及び音声を出力するように構成されている。
【００４０】
映像出力装置３は、例えばハードディスクレコーダであり、映像出力装置３を構成する各種構成部の動作を制御する制御部３０、映像データを記録した記憶装置３１、信号処理部３２、ＨＤＭＩ通信部３３、記憶部３４、及び操作部３５を備える。
【００４１】
制御部３０は、表示装置１側の制御部１０と同様の構成であり、映像信号及び音声信号の出力、映像信号のフォーマットの設定処理等を行うマイクロコンピュータである。
【００４２】
記憶装置３１は、映像及び音声データを記憶した記憶媒体、例えばハードディスクのような磁気ディスク、ＤＶＤ、ＢＤ等の光ディスクから映像及び音声データを読み出し、再生し、再生された映像信号及び音声信号を信号処理部３２に与える。
【００４３】
信号処理部３２は、制御部１０の制御に従って、映像信号を特定の映像フォーマットに変換する信号処理を行い、ＨＤＭＩ通信部３３は、信号処理された映像信号及び音声信号を表示装置１へ送信する。
【００４４】
記憶部３４は、不揮発性のメモリであり、映像出力装置３から出力が可能な映像信号のフォーマットを示す複数の映像フォーマット情報を記憶している。制御部３０は、記憶部３４が記憶しているフォーマット情報を読み出し、ＨＤＭＩ通信部３３にて表示装置１へ送信することによって、映像出力装置３側で対応可能な映像フォーマットを通知することができる。
また、記憶部３４は、映像出力装置３に設定された映像フォーマットを示す設定フォーマット情報を記憶する。制御部３０は、設定フォーマット情報に基づいて、映像出力装置３から出力する映像フォーマットを決定し、該映像フォーマットの映像信号を表示装置１へ送信する。
【００４５】
図２は、映像フォーマット設定に係る制御部１０、３０の処理手順を示すフローチャート、図３は、映像フォーマットの設定手順を示す説明図である。以下では、出力する映像フォーマットとして４８０ｉが映像出力装置３に設定されていた場合を説明する。図３（ａ）は、表示装置１に表示された４８０ｉの映像を模式的に示している。
【００４６】
図２に示すように、制御部１０は、映像出力装置３から、記憶部３４が記憶する複数の映像フォーマット情報を取得する（ステップＳ１１）。具体的には、制御部１０は、ＣＥＣチャンネルを使用して、所定のコマンドを送信することによって、映像フォーマット情報の送信を映像出力装置３に要求する。映像出力装置３側の制御部３０は、前記制御信号を受信した場合、記憶部３４から複数の映像フォーマット情報を読み出し、読み出した映像フォーマット情報をＨＤＭＩ通信部３３を介して表示装置１へ送信する。表示装置１の制御部１０は、映像出力装置３から送信された複数の映像フォーマット情報を受信することで、該映像フォーマット情報を取得することができる。
【００４７】
次いで、制御部１０は、表示装置１の記憶部１９から複数の映像フォーマット情報を読み出し（ステップＳ１２）、映像出力装置３から取得した複数の映像フォーマット情報と、記憶部１９から読み出した複数の映像フォーマット情報とを比較することによって、最大解像度の映像フォーマット情報を特定する（ステップＳ１３）。本実施の形態では、表示装置１及び映像出力装置３双方が１０８０ｐの映像フォーマットに対応しているため、１０８０ｐの映像フォーマット情報が特定される。
このように、表示装置１及び映像出力装置３双方の映像フォーマット情報を付き合わせることで、各装置の組み合わせにおいて最良の映像フォーマットを特定することが可能になる。
【００４８】
そして、制御部１０は、映像出力装置３から設定フォーマット情報を取得する（ステップＳ１４）。設定フォーマット情報の取得方法は、映像フォーマット情報の取得方法と同様である。
【００４９】
次いで、制御部１０は、設定フォーマット情報と、ステップＳ１３で特定された最大解像度のフォーマット情報とが一致するか否かを判定する（ステップＳ１５）。一致すると判定した場合（ステップＳ１５：ＹＥＳ）、制御部１０は、映像フォーマットの設定に係る処理を終える。
【００５０】
一致しないと判定した場合（ステップＳ１５：ＮＯ）、制御部１０は、図３（ｂ）に示すように、ＯＳＤ描画部１５にて最良の設定では無い旨を表示部１６に表示し（ステップＳ１６）、設定の変更を受け付ける。ステップＳ１６では、映像出力装置３及び表示装置１双方で対応が可能な映像フォーマットの一覧表示は行わず、最良の一の映像フォーマットのみを表示し、変更の要否のみを受け付ける。従って、映像フォーマットの知識に乏しい使用者であっても、映像フォーマットの選択に戸惑うことは無い。映像フォーマットの設定変更操作を極めて簡単なものにすることが可能になる。
【００５１】
そして、制御部１０は、操作部２０の操作状態を監視し、設定変更を受け付けたか否かを判定する（ステップＳ１７）。設定変更を受け付けなかった場合、つまり図３（ｂ）に示す「いいえ」のブロックが操作部２０にてカーソル選択されて、決定ボタンが押された場合（ステップＳ１７：ＮＯ）、制御部１０は、映像フォーマットの設定に係る処理を終える。
【００５２】
なお、設定変更を行わない場合、表示装置１に当該映像出力装置３を接続する度に、毎回同じ警告画面が表示される。警告画面の表示を避けるため、メニューで警告画面の表示又は非表示を設定できるように構成すると良い。また、図３（ｂ）に示す画面に「今後表示しない」等の選択肢を設け、「今後表示しない」のブロックが選択された場合、以後、警告画面を表示しないように構成しても良い。
【００５３】
設定変更を受け付けたと判定した場合、つまり図３（ｂ）に示す「はい」のブロックがカーソル選択されて、決定ボタンが押された場合（ステップＳ１７：ＹＥＳ）、制御部１０は、ＨＤＭＩ通信部１１の通信内容に基づいて、映像フォーマットの設定に係るＣＥＣ通信が可能であるか否かを判定する（ステップＳ１８）。ＣＥＣ通信が可能であると判定した場合（ステップＳ１８：ＹＥＳ）、制御部１０は、ステップＳ１３で特定した最大解像度の映像フォーマットを映像出力装置３に設定するための設定情報を映像出力装置３へ送信する（ステップＳ１９）。設定情報には、前記フォーマット情報、及び所定の通信コマンド等が含まれている。
映像出力装置３は、表示装置１から送信された設定情報を受信した場合、設定情報に基づいて、前記最大解像度の映像フォーマットにて映像信号が出力されるように設定フォーマット情報の内容を変更する。
【００５４】
次いで、制御部１０は、映像出力装置３側の設定が完了した場合、図３（ｃ）に示すように映像フォーマットの設定が完了した旨のメッセージを表示部１６に表示させ（ステップＳ２０）、映像フォーマットの設定に係る処理を終える。以後、図３（ｄ）に示すように、１０８０ｐの映像が表示部１６に表示される。
【００５５】
ステップＳ１８でＣＥＣ通信が不能であると判定した場合（ステップＳ１８：ＮＯ）、例えば、所定の通信コマンドに対応していないＤ端子等を用いた接続方式である場合、制御部１０は、映像フォーマットの設定を支援すべく、表示装置１に接続されている接続機器名を受け付け（ステップＳ２１）、接続機器に応じた設定案内画像を表示部１６に表示させ（ステップＳ２２）、映像フォーマットの設定に係る処理を終える。設定案内画像は、表示装置１及び映像出力装置３の組み合わせに応じた最適な映像フォーマットを映像出力装置３に設定変更するよう、設定変更を促すと共に、設定作業を容易にするものである。
なお、ステップＳ１１の処理を実行する制御部１０及びＨＤＭＩ通信部１１は、取得手段を構成している。また、ステップＳ１３を実行する制御部１０は、特定手段を構成している。更に、ステップＳ１４の処理を実行する制御部１０及びＨＤＭＩ通信部１１は、設定フォーマット情報取得手段を構成している。更にまた、ステップＳ１５の処理を実行する制御部１０は、設定フォーマット情報及び特定手段が特定したフォーマット情報を比較する手段を構成している。更にまた、ステップＳ１７の処理を実行する制御部１０及び操作部２０は、受付手段を構成している。更にまた、ステップＳ１９の処理を実行する制御部１０及びＨＤＭＩ通信部１１は、設定情報送信手段を構成している。
【００５６】
図４は、アスペクト比の設定変更に係る制御部１０、３０の処理手順を示すフローチャート、図５は、アスペクト比の設定変更手順を示す説明図、図６は、アスペクト比設定の正誤を概念的に示す説明図である。以下では、表示装置１のアスペクト比が１６対９にも拘わらず、映像出力装置３側の設定が４対３になっている場合であって、図６（ａ）に示すようにスコープサイズのレターボックス映像が出力される場合を説明する。スコープサイズのアスペクト比は１対２．３５であり、上下に黒帯部分が付加されて、１６対９の映像が構成される。映像出力装置３は、出力する映像のアスペクト比が４対３に設定されている。従って、映像出力装置３は、１６対９の前記映像に対して更に黒帯部分を付加した４対３のレターボックス映像に変換し、該レターボックス映像の映像信号を表示装置１へ出力する。表示装置１は、４対３の映像信号を受信した場合、例えば４対３の映像を横伸ばして１６対９の映像に変換し、図５（ａ）に示すような映像を表示部１６に表示する。
【００５７】
制御部１０は、黒帯検出部１３にて、映像信号に係る映像の一部に含まれる黒帯部分を検出し（ステップＳ３１）、該黒帯部分の面積を算出する（ステップＳ３２）。面積は、例えば全画面領域の面積を１とした場合の割合で算出する。図６（ａ）に示すように、アスペクト比が４対３の表示装置１にスコープサイズの映像を表示する場合、映像領域の割合ｘは、２．３５：１＝１．３３（＝４・３）：ｘと表され、映像領域の割合ｘは、ｘ＝１．３３／２．３５＝０．５６６となる。従って、黒帯部分の面積は、約０．４４になる。
【００５８】
次いで、制御部１０は、黒帯部分の面積が所定値より大きいか否かを判定する（ステップＳ３３）。所定値は例えば０．２５である。０．２５は、スコープサイズの映像をアスペクト比１６対９の表示装置１に表示した場合に現れる黒帯部分の面積である。図６（ｂ）に示すように、アスペクト比が１６対９の表示装置１にスコープサイズの映像を表示する場合、映像領域の割合ｘは、２．３５：１＝１．７８（＝１６／９）：ｘと表され、映像領域の割合ｘは、ｘ＝１．７８／２．３５＝０．７５７となる。従って、黒帯部分の面積は、約０．２５になる。
【００５９】
ステップＳ３３で、所定値以下であると判定した場合（ステップＳ３３：ＮＯ）、制御部１０は、アスペクト比の設定変更に係る処理を終える。
【００６０】
黒帯部分の面積が所定値より大きいと判定した場合（ステップＳ３３：ＹＥＳ）、例えば図５（ａ）に示すように、レターボックスの黒帯部分の面積が０．２５に対して０．４４と明らかに大きな値である場合、制御部１０は、図５（ｂ）に示すように、最良の設定では無い旨を表示部１６に表示し（ステップＳ３４）、設定の変更を受け付ける。
【００６１】
そして、制御部１０は、操作部２０の操作状態を監視し、設定変更を受け付けたか否かを判定する（ステップＳ３５）。設定変更を受け付けなかった場合（ステップＳ３５：ＮＯ）、つまり図５（ｂ）に示す「いいえ」のブロックがカーソル選択されて、決定ボタンが押された場合、制御部１０は、アスペクト比の設定変更に係る処理を終える。
【００６２】
設定変更を受け付けたと判定した場合（ステップＳ３５：ＹＥＳ）、つまり図５（ｂ）に示す「はい」のブロックがカーソル選択されて、決定ボタンが押された場合、制御部１０は、ＨＤＭＩ通信部１１の通信状態に基づいて、映像フォーマットの設定に係るＣＥＣ通信が可能であるか否かを判定する（ステップＳ３６）。ＣＥＣ通信が可能であると判定した場合（ステップＳ３６：ＹＥＳ）、制御部１０は、アスペクト比の設定変更を指示する所定の設定情報を映像出力装置３へ送信する（ステップＳ３７）。
映像出力装置３は、表示装置１から送信された設定情報を受信した場合、設定情報に基づいて、アスペクト比の設定を変更する。
【００６３】
次いで、制御部１０は、映像出力装置３側の設定が完了した場合、図５（ｃ）に示すようにアスペクト比の設定変更が完了した旨のメッセージを表示部１６に表示させ（ステップＳ３８）、映像フォーマットの設定に係る処理を終える。以後、図５（ｄ）に示すように、アスペクト比が適切に設定されたスコープサイズのレターボックス映像が表示部１６に表示される。
映像出力装置３に１６対９のアスペクト比が設定された場合、図６（ｂ）に示すように、１６対９のスコープサイズのレターボックス映像が出力され、表示部１６にそのまま表示され、映像全体に占める黒帯部分の面積を小さくすることができる。
【００６４】
ステップＳ３６でＣＥＣ通信が不能であると判定した場合（ステップＳ３６：ＮＯ）、制御部１０は、アスペクト比の設定を支援すべく、表示装置１に接続されている接続機器名を受け付け（ステップＳ３９）、接続機器に応じた設定案内画像を表示部１６に表示させ（ステップＳ４０）、アスペクト比の設定に係る処理を終える。
なお、黒帯検出部１３は、黒帯部分を検出する検出手段を構成している。また、ステップＳ３３を実行する制御部１０は、黒帯部分の面積及び所定値を比較する手段を構成している。更に、ステップＳ３５を実行する制御部１０及び操作部２０は、アスペクト比変更受付手段を構成している。更にまた、ステップＳ３７を実行する制御部１０及びＨＤＭＩ通信部１１は、アスペクト比を変更させる設定情報を映像出力装置３へ送信する手段を構成している。
【００６５】
このように構成された表示装置１及び映像表示システムにあっては、映像フォーマットを一覧から選択する必要はなく、映像信号のフォーマットに関する知識が乏しい使用者であっても設定変更の要否を選択するのみで、表示装置１及び映像出力装置３双方のスペックを最大限生かした最適な映像フォーマットを映像出力装置３に設定することができる。
具体的には、最大解像度の映像フォーマットを映像出力装置３に設定することができる。
【００６６】
また、映像出力装置３側で誤ったアスペクト比が設定されていた場合であっても、表示装置１側で設定の誤りを検出して是正することができる。
【００６７】
一方、従来の表示装置においては、アスペクト比が４対３のブラウン管ＴＶを所有していた使用者がアスペクト比１６対９の液晶ＴＶに買い換え、映像出力装置３をそのまま使用し続けるような場合、映像出力装置３側における映像フォーマットの設定変更を忘れ、最適な映像が表示されないという例があった。
また、映像出力装置３によっては、デフォルトで４対３の表示装置１向けに設定されているものもあり、設定変更が必要であることに気づかずにそのまま使用しているケースもあった。
本発明によれば、映像出力装置３を変更せずに、表示装置１のみを交換した場合に発生する上述の不具合を未然に回避できるため、ユーザーコールを減少させることができる。
【００６８】
なお、実施の形態にあっては、映像フォーマット情報に基づいて、映像フォーマットの適否を判定するように構成してあるが、同期信号の本数、間隔等から映像フォーマットの適否を判定し、異常な同期信号を受信した場合、映像出力装置側の設定に異常がある旨を警告するように構成しても良い。使用者は、表示装置に異常が無く、映像出力装置側の設定に異常があることを認識することができ、表示装置のユーザーコールを減少させることができる。
【００６９】
（変形例１）
変形例１に係る映像表示システムは、映像フォーマットに加え、音声フォーマットの設定を同様の手順で変更するように構成したものである。
図７は、音声フォーマット設定に係る制御部１０、３０の処理手順を示すフローチャートである。表示装置１の記憶部１９は、対応可能な音声フォーマットを示す複数の音声フォーマット情報を記憶している。音声フォーマット情報は、例えばステレオ、５．１ｃｈ等の対応チャンネル数、ドルビーデジタル音声対応、ＤＴＳ音声対応、ＰＣＭ対応等を示す情報である。
同様に、映像出力装置３の記憶部３４は、対応が可能な複数の音声フォーマット情報、現在設定されている音声フォーマットを示す設定音声フォーマット情報を記憶している。
【００７０】
制御部１０は、映像出力装置３から、記憶部３４が記憶する複数の音声フォーマット情報を取得する（ステップＳ５１）。次いで、制御部１０は、表示装置１の記憶部１９から複数の音声フォーマット情報を読み出し（ステップＳ５２）、映像出力装置３から取得した複数の音声フォーマット情報と、記憶部１９から読み出した複数の音声フォーマット情報とを比較することによって、最適な一の音声フォーマット情報、例えばチャンネル数、又は情報ビット数が最大の音声フォーマット情報を特定する（ステップＳ５３）。
【００７１】
そして、制御部１０は、映像出力装置３から設定音声フォーマット情報を取得する（ステップＳ５４）。次いで、制御部１０は、設定音声フォーマット情報と、ステップＳ５３で特定された一のフォーマット情報とが一致するか否かを判定する（ステップＳ５５）。一致すると判定した場合（ステップＳ５５：ＹＥＳ）、制御部１０は、音声フォーマットの設定に係る処理を終える。
【００７２】
一致しないと判定した場合（ステップＳ５５：ＮＯ）、制御部１０は、最良の設定では無い旨を表示部１６に表示し（ステップＳ５６）、設定の変更を受け付ける。ステップＳ５６では、映像出力装置３及び表示装置１双方で対応が可能な音声フォーマットの一覧表示は行わず、最良の一の音声フォーマットのみを表示し、変更の要否のみを受け付ける。
【００７３】
そして、制御部１０は、操作部２０の操作状態を監視し、設定変更を受け付けたか否かを判定する（ステップＳ５７）。設定変更を受け付けなかった場合（ステップＳ５７：ＮＯ）、制御部１０は、音声フォーマットの設定に係る処理を終える。
【００７４】
設定変更を受け付けたと判定した場合（ステップＳ５７：ＹＥＳ）、制御部１０は、ＨＤＭＩ通信部１１の通信状態に基づいて、音声フォーマットの設定に係るＣＥＣ通信が可能であるか否かを判定する（ステップＳ５８）。ＣＥＣ通信が可能であると判定した場合（ステップＳ５８：ＹＥＳ）、制御部１０は、ステップＳ５３で特定した最適な一の音声フォーマット情報を映像出力装置３に設定するための設定情報を映像出力装置３へ送信する（ステップＳ５９）。設定情報には、前記フォーマット情報、及び所定のコマンド情報等が含まれている。
映像出力装置３は、表示装置１から送信された設定情報を受信した場合、設定情報に基づいて、前記一の音声フォーマットが出力されるように設定音声フォーマット情報の内容を変更する。
【００７５】
次いで、制御部１０は、映像出力装置３側の設定が完了した場合、音声フォーマットの設定が完了した旨のメッセージを表示部１６に表示させ（ステップＳ６０）、音声フォーマットの設定に係る処理を終える。ステップＳ５８でＣＥＣ通信が不能であると判定した場合（ステップＳ５８：ＮＯ）、制御部１０は、音声フォーマットの設定を支援すべく、表示装置１に接続されている接続機器名を受け付け（ステップＳ６１）、接続機器に応じた設定案内画像を表示部１６に表示させ（ステップＳ６２）、音声フォーマットの設定に係る処理を終える。
なお、ステップＳ５３の処理を実行する制御部１０は、音声フォーマット特定手段を構成している。また、制御部１０及びＨＤＭＩ通信部１１は、音声フォーマット特定手段が特定した一のフォーマット情報に基づいて設定する設定情報を映像出力装置３へ送信する手段を構成している。
【００７６】
変形例１に係る表示装置１、及び映像表示システムにあっては、音声フォーマットを一覧から選択する必要はなく、音声信号のフォーマットに関する知識が乏しい使用者であっても設定変更の要否を選択するのみで最適なフォーマットに設定することができる。
【００７７】
（変形例２）
図８は、変形例２に係る制御部１０、３０の処理手順を示すフローチャートである。変形例２に係る映像表示システムは、最良の音声フォーマットの判定、設定処理を映像出力装置３側で実行するように構成したものである。
【００７８】
映像出力装置３の制御部３０は、表示装置１から、記憶部１９が記憶する複数の映像フォーマット情報を取得する（ステップＳ７１）。次いで、制御部３０は、映像出力装置３の記憶部３４から複数の映像フォーマット情報を読み出し（ステップＳ７２）、表示装置１から取得した複数の映像フォーマット情報と、記憶部３４から読み出した複数の映像フォーマット情報とを比較することによって、最大解像度の映像フォーマット情報を特定する（ステップＳ７３）。
【００７９】
そして、制御部３０は、記憶部３４から設定フォーマット情報を読み出す（ステップＳ７４）。次いで、制御部３０は、設定フォーマット情報と、ステップＳ７３で特定された最大解像度のフォーマット情報とが一致するか否かを判定する（ステップＳ７５）。一致すると判定した場合（ステップＳ７５：ＹＥＳ）、制御部３０は、映像フォーマットの設定に係る処理を終える。
【００８０】
一致しないと判定した場合（ステップＳ７５：ＮＯ）、制御部３０は、最良の設定では無い旨を表示装置１に表示させ（ステップＳ７６）、設定の変更を受け付ける。そして、制御部３０は、操作部３５の操作状態を監視し、設定変更を受け付けたか否かを判定する（ステップＳ７７）。設定変更を受け付けなかった場合（ステップＳ７７：ＮＯ）、制御部３０は、映像フォーマットの設定に係る処理を終える。
【００８１】
設定変更を受け付けたと判定した場合（ステップＳ７７：ＹＥＳ）、制御部３０は、ステップＳ７３で特定した最大解像度の映像フォーマットを設定し（ステップＳ７８）、映像フォーマットの設定が完了した旨のメッセージを表示装置１に表示させ（ステップＳ７９）、処理を終える。
なお、ステップＳ７１を実行する制御部３０及びＨＤＭＩ通信部３３は、請求項７に記載の取得手段として機能する。また、ステップＳ７３を実行する制御部３０は、請求項７に記載の特定手段として機能する。更に、ステップＳ７７の処理を実行する制御部３０及び操作部３５は、請求項７に記載の受付手段を構成している。更にまた、ステップＳ７８を実行する制御部３０は、出力する映像信号のフォーマットを、特定手段が特定した一のフォーマット情報に基づいて設定する手段を構成している。
【００８２】
変形例２に係る映像出力装置３及び映像表示システムにあっては、上述の実施の形態と同様、映像信号のフォーマットに関する知識が乏しい使用者であっても設定変更の要否を選択するのみで最適なフォーマットに設定することができる。
【００８３】
（変形例３）
図９は、変形例３に係るアスペクト比の設定変更方法を概念的に示す説明図である。表示装置１及び映像出力装置３間で相互通信が不能な場合のアスペクト比の設定支援方法を追加的に説明する。映像出力装置３から相互通信不能なケーブルを介して、アナログの映像信号が表示装置１に入力した場合も、制御部１０は図５のステップＳ３１〜３５と同様の処理を実行することによって、図９（ａ）に示すようなアスペクト比の設定の誤りを検出することができる。制御部１０は、図９（ｂ）に示すようにアスペクト比の設定が誤っている可能性を指摘する画像を表示部１６に表示させる。
【００８４】
相互通信ができない以上、制御部１０は、図５のステップＳ３６以降の処理を実行することができない。そこで、制御部１０は、設定変更を受け付けた場合、図９（ｃ）、（ｄ）に示すように、アスペクト比の設定手順を示す案内を表示することによって、対応する。該案内では、少なくとも表示装置１側に問題がない旨、又は映像出力装置３側に問題がある旨を表示する。
【００８５】
変形例３に係る表示装置１にあっては、アスペクト比の知識に乏しい使用者によるアスペクト比の設定を支援することができる。特に、表示装置１側に問題が無く、映像出力装置３側に問題がある点を指摘することによって、表示装置１のユーザーコールを減少させることもできる。
【００８６】
なお、図９（ｃ）では、案内を映像の下部に表示しているが、映像表示装置１のメニュー表示を妨げないのであれば、どのような場所に表示してもよい。
また、利便性のため、ガイダンス表示中に映像表示装置１の遠隔操作装置に備えられているチャンネルアップダウンキーが押されたら次の案内画面に進むようにしてもよい。
【００８７】
なお、今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【図面の簡単な説明】
【００８８】
【図１】本発明の実施の形態に係る映像表示システムの構成を示すブロック図である。
【図２】映像フォーマット設定に係る制御部の処理手順を示すフローチャートである。
【図３】映像フォーマットの設定手順を示す説明図である。
【図４】アスペクト比の設定変更に係る制御部の処理手順を示すフローチャートである。
【図５】アスペクト比の設定変更手順を示す説明図である。
【図６】アスペクト比設定の正誤を概念的に示す説明図である。
【図７】音声フォーマット設定に係る制御部の処理手順を示すフローチャートである。
【図８】変形例２に係る制御部の処理手順を示すフローチャートである。
【図９】変形例３に係るアスペクト比の設定変更方法を概念的に示す説明図である。
【符号の説明】
【００８９】
３２  信号処理部
１０、３０  制御部
１  表示装置
１０  制御部
１１  ＨＤＭＩ通信部
１２  信号分離部
１３  黒帯部分検出部
１４  映像信号処理部
１５  ＯＳＤ描画部
１６  表示部
１７  音声信号処理部
１８  スピーカ
１９  記憶部
２０  操作部
３  映像出力装置
３０  制御部
３１  記憶装置
３３  ＨＤＭＩ通信部
３４  記憶部
３５  操作部
４  ＨＤＭＩケーブル
【図１】
2010014979.tif 000003
【図２】
2010014979.tif 000004
【図３】
2010014979.tif 000005
【図４】
2010014979.tif 000006
【図５】
2010014979.tif 000007
【図６】
2010014979.tif 000008
【図７】
2010014979.tif 000009
【図８】
2010014979.tif 000010
【図９】
2010014979.tif 000011